(57)【要約】【課題】鉛直方向に対して傾斜して配置される、上下に略水平方向のヘッダーを有するパラレルフロータイプの熱交換器の上側ヘッダー１１に結露する水が、上側ヘッダー１１から飛び出て、室内機が設置された室内に飛散するという課題があった。【解決手段】水平方向に設けられた上側ヘッダー１１と、上側ヘッダー１１に平行に設けられた下側ヘッダー１２と、上側ヘッダー１１と下側ヘッダー１２との間に設けられ、鉛直方向に対して傾斜して配置される複数の偏平チューブ１３と、複数の偏平管の間に設けられたコルゲートフィン１４とを備え、上側ヘッダー１１の鉛直方向最下部から、偏平チューブ１３に向かう平板１を設けることにより、上側ヘッダー１１に結露する水が上側ヘッダー１１から飛び出すことがない。【選択図】図１
2015227754.tif 000002
【特許請求の範囲】
【請求項１】
水平方向に設けられた上側ヘッダーと、
前記上側ヘッダーに平行に設けられた下側ヘッダーと、
前記上側ヘッダーと前記下側ヘッダーとの間に設けられ、鉛直方向に対して傾斜して配置される複数の偏平チューブと、
前記複数の偏平管の間に設けられたコルゲートフィンとを備え、
前記上側ヘッダーの下方には、前記上側ヘッダーの最下部を覆い前記偏平管と接続された排水機構が設けられたことを特徴とする熱交換器。
【請求項２】
水平方向に設けられた第１の上側ヘッダーと、
前記第１の上側ヘッダーに平行に設けられた第１の下側ヘッダーと、
前記第１の上側ヘッダーと前記第１の下側ヘッダーとの間に設けられ、鉛直方向に対して傾斜して配置される複数の第１の偏平チューブと、
前記複数の第１の偏平チューブの間に設けられた第１のコルゲートフィンと、
前記第１の上側ヘッダーと平行に設けられた第２の上側ヘッダーと、
前記第２の上側ヘッダーに平行に設けられた第２の下側ヘッダーと、
前記第２の上側ヘッダーと前記第２の下側ヘッダーとの間に設けられた複数の第２の偏平チューブと、
前記複数の第２の偏平チューブの間に設けられた第２のコルゲートフィンとを備え、
前記第２の上側ヘッダーは、前記第１の上側ヘッダーの下方で、鉛直方向に重なる位置に配置され、
前記第２の上側ヘッダーの上面には、第２の上側ヘッダーの長手方向に平行な凹部が設けられたことを特徴とする熱交換器。
【請求項３】
前記第２の上側ヘッダーの下方には、前記第２の上側ヘッダーの最下部を覆い前記第２の偏平チューブと接続された排水機構が設けられたことを特徴とする請求項２に記載の熱交換器。
【発明の詳細な説明】
【技術分野】
【０００１】
本発明は、コルゲートフィンと偏平チューブとを交互に積層して構成されるパラレルフロータイプの熱交換器に関するものである。
【背景技術】
【０００２】
従来、セパレート型空気調和機の室内機においては、設置スペースとの関係で全体をできるだけコンパクトにまとめる必要がある。このため、このような機器に用いられる熱交換器は、鉛直方向に対して傾斜して配置されることがある（例えば、特許文献１参照）。
【０００３】
図７は、従来の熱交換器の側面図である。熱交換器Ａ’は、ケーシングＢ’内の空気流通路に、鉛直方向に対して傾斜して配置されている。熱交換器Ａ’は、冷媒の流通路となる複数本の偏平チューブ１３が並列状に配置されるとともに、隣接する偏平チューブ１３の間に、空気との間で吸放熱するコルゲートフィン（図示せず）が配置されている。各偏平チューブ１３の両端には、筒状の中空の上側ヘッダー１１と下側ヘッダー１２が連通接続されている。
【０００４】
冷媒は上側ヘッダー１１に取り付けられた上側接続管１５から流入し、下側ヘッダー１２に取り付けられた下側接続管１６から流出する。また、貫流送風機の羽根車Ｃ’が回転することにより、空気が熱交換器Ａ’を通過して流れる。
【先行技術文献】
【特許文献】
【０００５】
【特許文献１】特開平０４−１８７９９０号公報
【発明の概要】
【発明が解決しようとする課題】
【０００６】
しかしながら、前記従来の構成では、その構造上、上側ヘッダー１１の最下部が、上側ヘッダー１１への偏平チューブ１３の挿入箇所より低くなることがあった。熱交換器Ａ’を蒸発器として用いた場合には、上側ヘッダー１１にも水が結露し、その結露水は上側ヘッダー１１の周りを流下する。そして、結露水の一部は上側ヘッダー１１に連通接続された偏平チューブ１３に沿って流れが、結露水の大半は上側ヘッダー１１の最下部に流れ着き、次第にたまり、だんだん大きくなり、ついには水滴Ｗとして落下する。この現象（いわゆる水飛び現象）が発生すると、水が、羽根車Ｃ’を通過して、室内機が設置された室内へ放出されてしまい、使用者の快適性を損なうという課題があった。
【０００７】
この発明は、上述の問題点を解消すべくなされたもので、上下一対の略水平方向のヘッダーを有するパラレルフロータイプの熱交換器を蒸発器として使用した場合にも、上側ヘッダーにおける排水性が良好で、上側ヘッダーからの水飛びが発生することがない熱交換器を提供することを目的とする。
【課題を解決するための手段】
【０００８】
上記課題を解決するために本発明の熱交換器は、水平方向に設けられた上側ヘッダーと、鉛直方向に対して傾斜して配置される複数の偏平チューブとを備え、上側ヘッダーの下方には、上側ヘッダーの最下部を覆い偏平チューブと接続された排水機構が設けられたものである。
【０００９】
あるいは、水平方向に設けられた第１の上側ヘッダーと、鉛直方向に対して傾斜して配
置される複数の第１の偏平チューブと、第１の上側ヘッダーと平行に設けられた第２の上側ヘッダーと、複数の第２の偏平チューブとを備え、第２の上側ヘッダーは、第１の上側ヘッダーの下方で、鉛直方向に重なる位置に配置され、第２の上側ヘッダーの上面には、第２の上側ヘッダーの長手方向に平行な凹部が設けられものである。
【発明の効果】
【００１０】
本発明の熱交換器は、蒸発器として使用した場合に、上側ヘッダーに結露する水が上側ヘッダーから落下したり、飛散したりすることがないという効果が得られる。
【図面の簡単な説明】
【００１１】
【図１】本発明の実施の形態１における熱交換器を備えた室内機の横断面図
【図２】本発明の実施の形態１における熱交換器と羽根車の斜視図
【図３】本発明の実施の形態１における熱交換器の要部斜視図
【図４】本発明の実施の形態１における熱交換器の要部側面図
【図５】本発明の実施の形態１の熱交換器を備えたヒートポンプ空気調和機の冷凍サイクル図
【図６】本発明の実施の形態２における熱交換器の横断面図
【図７】従来の熱交換器の横断面図
【発明を実施するための形態】
【００１２】
第１の発明は、水平方向に設けられた上側ヘッダーと、前記上側ヘッダーに平行に設けられた下側ヘッダーと、前記上側ヘッダーと前記下側ヘッダーとの間に設けられ、鉛直方向に対して傾斜して配置される複数の偏平チューブと、前記複数の偏平チューブの間に設けられたコルゲートフィンとを備え、前記上側ヘッダーの下方には、前記上側ヘッダーの最下部を覆い前記偏平チューブと接続された排水機構が設けられたものである。
【００１３】
これによれば、上側ヘッダーの最下部でたまった水滴は、排水機構の表面を伝って偏平チューブまで流れていく。このため、結露水が上側ヘッダーから空気流通路や貫流送風機の羽根車に落下したり、飛散したりすることがない。
【００１４】
第２の発明は、水平方向に設けられた第１の上側ヘッダーと、前記第１の上側ヘッダーに平行に設けられた第１の下側ヘッダーと、前記第１の上側ヘッダーと前記第１の下側ヘッダーとの間に設けられ、鉛直方向に対して傾斜して配置される複数の第１の偏平チューブと、前記複数の第１の偏平チューブの間に設けられた第１のコルゲートフィンと、前記第１の上側ヘッダーと平行に設けられた第２の上側ヘッダーと、前記第２の上側ヘッダーに平行に設けられた第２の下側ヘッダーと、前記第２の上側ヘッダーと前記第２の下側ヘッダーとの間に設けられた複数の第２の偏平チューブと、前記複数の第２の偏平チューブの間に設けられた第２のコルゲートフィンとを備え、前記第２の上側ヘッダーは、前記第１の上側ヘッダーの下方で、鉛直方向に重なる位置に配置され、前記第２の上側ヘッダーの上面には、第２の上側ヘッダーの長手方向に平行な凹部が設けられものである。
【００１５】
これによれば、第１の上側ヘッダーの最下部でたまった水滴は、第２の上側ヘッダーの凹部の中に落下するので、結露水が第１の上側ヘッダーから空気流通路や貫流送風機の羽根車に落下したり、飛散したりすることがない。
【００１６】
第３の発明は、前記第２の上側ヘッダーの下方には、前記第２の上側ヘッダーの最下部を覆い前記第２の偏平チューブと接続された排水機構が設けられたものである。
【００１７】
これによれば、第２の上側ヘッダーの最下部でたまった水滴は、排水機構の表面を伝って第２の偏平チューブまで流れていく。このため、結露水が第２の上側ヘッダーから空気
流通路や貫流送風機の羽根車に落下したり、飛散したりすることがない。
【００１８】
以下に、本発明の実施の形態について、図面を参照しながら説明する。なお、この実施の形態によって本発明が限定されるものではない。
【００１９】
（実施の形態１）
本発明の第１の実施形態の熱交換器の適用例として、一般家庭で使用されている空気調和機の室内機で説明を行う。図１は本発明の実施の形態１の熱交換器を備えた室内機の横断面図である。図２は熱交換器と羽根車の斜視図である。図３は熱交換器の上部ヘッダー近傍の要部斜視図である。図４は、熱交換器の上部ヘッダー近傍の要部側面図である。なお、以下の説明では、室内機において、室内の壁にとりつける側を背面とし、背面に対向する側を前面として説明する。
【００２０】
室内機３０は外殻を形成するケーシングＢを備え、その内部に本発明の第１の実施形態の熱交換器である熱交換器Ａを備えている。ケーシングＢの前面と天面には吸込口が、前面と底面とで形成される角部には吹出口が設けられている。ケーシングＢ内には、吸込口から吹出口にかけて空気流通路が形成されている。空気流通路には、貫流送風機の羽根車Ｃが設けられている。
【００２１】
空気調和機が運転を開始すると、羽根車Ｃが回転し、羽根車Ｃの旋回動による空気のかきだし作用によって、空気流通路内における羽根車Ｃの上流が低圧になる。これにより生じる吸込力によって、空気は、吸込口から室内機内へ流入し、熱交換器Ａを通過した後、羽根車Ｃで増速され、吹出口から室内（冷・暖房対象空間）へと吹き出される。
【００２２】
空気流は、熱交換器Ａを通過する際に、熱交換器Ａを構成する偏平チューブ内の冷媒と熱交換することで、冷風または温風となる。
【００２３】
ここで、熱交換器Ａについて詳しく説明する。熱交換器Ａは、鉛直方向に対して傾斜して配置されている。熱交換器Ａは、冷媒の流通路となる複数本の偏平チューブ１３が並列状に配置されるとともに、隣接する偏平チューブ１３の間に、空気との間で吸放熱するコルゲートフィン１４を備えている。つまり、複数本の偏平チューブ１３は、長手方向が鉛直方向に対して傾斜して配置されている。
【００２４】
また、各偏平チューブ１３の両端には、筒状の中空の上側ヘッダー１１と下側ヘッダー１２が連通接続されている。上側ヘッダー１１と下側ヘッダー１２は、それぞれ長手方向が水平方向となるように配置されている。冷媒は上側ヘッダー１１に取り付けられた上側接続管１５から流入し、下側ヘッダー１２に取り付けられた下側接続管１６から流出する。ただし、冷媒の流れる方向は上記と反対の方向、つまり、下側接続管１６から流入し上側接続管１５から流出する方向でもよい。コルゲートフィン１４は、帯状の板材を波形に屈曲成形したものである。
【００２５】
上側ヘッダー１１の最下部の鉛直下方を含む位置から、偏平チューブ１３までには、排水機構として平板１が設けられている。平板１の長手方向の長さは、上側ヘッダー１１の偏平チューブ１３との接続箇所の全長を覆うよう、上側ヘッダー１１の長手方向の長さと略同等以上の長さである。平板１の短手方向の長さは、上側ヘッダー１１の最下部を覆うよう、上側ヘッダー１１の最下部（図４中のＸ点）と、上側ヘッダー１１と偏平チューブ１３との接合部の最下部（図４中のＹ点）との距離（図４中のＺ）以上の長さである。
【００２６】
平板１の下端には、偏平チューブ１３に対応する位置のそれぞれに凹部１ａが設けられている。凹部１ａの幅は、偏平チューブ１３が挿入可能な幅となっている。平板１の下端
のうち凹部１ａは、偏平チューブ１３に嵌め込まれており、凹部１ａ以外の部分は、偏平チューブ１３の間で、上側ヘッダー１１とコルゲートフィン１４の上端との間に挿入されている。
【００２７】
平板１の下端は偏平チューブ１３に、上端は上側ヘッダー１１に、それぞれ、例えば、ろう付けにより、固定接合されている。
【００２８】
換言すると、平板１は、一方を上側ヘッダー１１の最下部近傍に、もう一方を勘合されて偏平チューブ１３に固定接合され、上側ヘッダー１１の最下部を含む位置から鉛直下方を覆い、偏平チューブ１３まで繋がっている。また、平板１は上側ヘッダー１１の全長に渡って被せられている。
【００２９】
このため、以上のように構成された熱交換器Ａを蒸発器として用いた場合でも、上側ヘッダー１１の表面に結露する水滴は、まず、上側ヘッダー１１の最下部まで流れ着くと、平板１に誘導され、そのあと、平板１の表面を偏平チューブ１３まで円滑に流れていくことができる。これにより、結露水は上側ヘッダー１１から飛び出ることがない。
【００３０】
なお、図３、図４に示すように、平板１は、長手方向に稜線を有し、下方に突出する山形形状とすれば、より円滑な結露水の誘導が可能となり、望ましい。
【００３１】
また、本実施の形態では排水機構として、平板１を設けたが、水が抜けこぼれることがない程度に目が細かく、表面を撥水性にした網（メッシュ）などを用いても同様の効果が得られる。
【００３２】
また、本実施の形態を示す図１〜図４では、上側ヘッダー１１の断面形状を円形としているが、楕円形や長方形などの各種断面形状であっても構わず、本発明の効果が損なわれることはない。
【００３３】
また、室内機３０には複数の熱交換器を設ける場合には、それぞれの熱交換器の上側ヘッダーに対して、本実施の形態の排水機構を適用することにより、それぞれの上側ヘッダーからの水飛びを防止することができる。
【００３４】
前述のように構成された熱交換器Ａを備えた室内機３０をヒートポンプ空気調和機に搭載して冷暖房運転を行う場合の動作について説明する。
【００３５】
図５は、実施の形態１の熱交換器Ａを備えたヒートポンプ空気調和機の冷凍サイクル図である。
【００３６】
ヒートポンプ空気調和機の構成について説明する。冷媒を圧縮する圧縮機３１、冷房暖房運転時の冷媒回路を切り替える四方弁３２、冷房時には凝縮器となり暖房時には蒸発器となる冷媒と外気の熱を交換する室外熱交換器３３、室外熱交換器３３内を流れる冷媒と外気の熱交換を促進する室外ファン３８、冷媒を減圧する絞り装置３４、冷媒と室内空気の熱を交換し冷房時には蒸発器となり暖房時には凝縮器となる熱交換器Ａ、熱交換器Ａ内を流れる冷媒と室内空気の熱交換を促進する貫流送風機、圧縮機３１の吸い込み側に設けられたアキュムレータ３６を備えている。
【００３７】
室外機４２は圧縮機３１、四方弁３２、室外熱交換器３３、絞り装置３４、アキュムレータ３６、室外ファン３８を備え、室内機３０とは、液側接続管４３とガス側接続管４４で接続されている。
【００３８】
この様に構成された、ヒートポンプ空気調和機について動作を説明する。
【００３９】
まず、冷房運転時には、圧縮機３１によって圧縮された冷媒は高温高圧の冷媒となって四方弁３２を通って室外熱交換器３３に送られる。そして、室外ファン３８によって外気と熱交換を促進して放熱し、高圧の液冷媒となり絞り装置３４に送られる。絞り装置３４では減圧されて低温低圧の二相冷媒となり、液側接続管４３を通って、熱交換器Ａに送られる。
【００４０】
羽根車Ｃによって吸い込まれた室内空気は熱交換器Ａを通って冷媒と熱交換し、冷媒は室内空気の熱を吸熱し蒸発気化して低温のガス冷媒となる。このとき冷媒によって吸熱された室内空気は温度湿度が低下して羽根車Ｃによって室内に吹き出され室内を冷房する。またこの時、運転条件によっては、熱交換器Ａの偏平チューブ１３やコルゲートフィン１４に結露水が発生する。
【００４１】
しかし、本実施の形態では、上側ヘッダー１１が排水機構を備えているため、上側ヘッダー１１で発生した結露水は、排水機構の表面を伝って偏平チューブ１３まで流れていく。このため、結露水が上側ヘッダー１１から空気流通路や貫流送風機の羽根車Ｃに落下したり、飛散したりすることがない。
【００４２】
また、ガス冷媒は、ガス側接続管４４を通過して四方弁３２に入り、アキュムレータ３６を経て圧縮機３１に戻る。
【００４３】
一方、暖房運転の運転時には、圧縮機３１によって圧縮された冷媒は高温高圧の冷媒となって四方弁３２を通り、ガス側接続管４４に送られる。羽根車Ｃによって吸い込まれた室内空気は熱交換器Ａを通って冷媒と熱交換し、冷媒は室内空気へ熱を放熱し凝縮して高圧の液冷媒となる。このとき室内空気は冷媒の熱を吸熱し温度が上昇した状態で羽根車Ｃによって室内に吹き出され室内を暖房する。その後、冷媒は液側接続管４３を通って絞り装置３４に送られ、絞り装置３４において減圧されて低温低圧の二相冷媒となり、室外熱交換器３３に送られて、室外ファン３８によって外気と熱交換を促進して蒸発気化し、四方弁３２を経てアキュムレータ３６を通って圧縮機３１へ戻される。この様にして、冷暖房運転がなされる。
【００４４】
（実施の形態２）
本発明の第２の実施の形態の熱交換器について説明する。なお、本実施の形態では、実施の形態１と異なるところのみを説明し、実施の形態１で説明した構成については、説明は割愛する。図６は、本発明の実施の形態２における熱交換器の横断面図である。
【００４５】
本実施の形態では、ルームエアコンの室内機に複数の熱交換器が用いられるものである。図６においては、背面側に配置されたパラレルフロータイプの背面側熱交換器Ａ１（本発明における第１の熱交換器）と、室内機の前面側に配置されたパラレルフロータイプの前面側熱交換器Ａ２（本発明における第２の熱交換器）の２つの熱交換器が設けられている。
【００４６】
背面側熱交換器Ａ１は、鉛直方向に対して傾斜して配置されている。背面側熱交換器Ａ１は、冷媒の流通路となる複数本の第１の偏平チューブ１３１が並列状に配置されるとともに、隣接する第１の偏平チューブ１３１の間に、空気との間で吸放熱する第１のコルゲートフィン（図示せず）を備えている。つまり、複数本の第１の偏平チューブ１３１は、長手方向が鉛直方向に対して傾斜して配置されている。
【００４７】
また、第１の偏平チューブ１３１の両端には、筒状の中空の第１の上側ヘッダー１１１
と第１の下側ヘッダー１２１が連通接続されている。第１の上側ヘッダー１１１と第１の下側ヘッダー１２１は、それぞれ長手方向が水平方向となるように配置されている。
【００４８】
前面側熱交換器Ａ２は、背面側熱交換器Ａ１とは異なる方向であって、鉛直方向に対して傾斜して配置されている。前面側熱交換器Ａ２は、冷媒の流通路となる複数本の第２の偏平チューブ１３２が並列状に配置されるとともに、隣接する第２の偏平チューブ１３２の間に、空気との間で吸放熱する第２のコルゲートフィン（図示せず）を備えている。つまり、複数本の第２の偏平チューブ１３２は、長手方向が第１の偏平チューブ１３１とは異なる方向に、鉛直方向に対して傾斜して配置されている。
【００４９】
また、第２の偏平チューブ１３２の両端には、筒状の中空の第２の上側ヘッダー１１２と第２の下側ヘッダー１２２が連通接続されている。第２の上側ヘッダー１１２は背面側熱交換器Ａ１の第１の上側ヘッダーと、それぞれの長手方向が平行となるように配置されている。また、第２の下側ヘッダー１２２は、第１の上側ヘッダーとそれぞれ長手方向が水平方向となるように配置されている。
【００５０】
前面側熱交換器Ａ２の第２の上側ヘッダー１１２は、背面側熱交換器Ａ１の第１の上側ヘッダー１１１の下方で、鉛直方向に重なる位置に配置されている。また、第１の上側ヘッダー１１１と、第２の上側ヘッダー１１２とは連結管（図示せず）によって連通している。
【００５１】
冷媒は、背面側熱交換器Ａ１の第１の下側ヘッダー１２１に取り付けられた接続管（図示せず）から流入し、第１の上側ヘッダー１１１へと流れた後、連結管を介して、前面側熱交換器Ａ２の第２の上側ヘッダー１１２に流入する。第２の上側ヘッダー１１２から流入した冷媒は、第２の下側ヘッダー１２２へと流れた後、第２の下側ヘッダー１２２に取り付けられた接続管（図示せず）から流出する。ただし、冷媒の流れる方向は上記と反対の方向、つまり、第２の下側ヘッダー１２２、第２の上側ヘッダー１１２、第１の上側ヘッダー１１１、第１の下側ヘッダー１２１の順に流れる方向でもよい。
【００５２】
前面側熱交換器Ａ２の第２の上側ヘッダー１１２は、上面に長手方向に平行な凹部である樋２を有しており、その鉛直上方に背面側熱交換器Ａ１の第１の上側ヘッダー１１１が位置するように、配置されている。また、図示していないが、樋２は長手方向（紙面に略直角方向）に緩やかな鉛直下方へ向かう勾配を有している。
【００５３】
さらに、前面側熱交換器Ａ２の第２の上側ヘッダー１１２の最下部を覆う下方には、排水機構としての平板１が設けられている。平板１の一方は、第２の上側ヘッダー１１２の最下部の近傍に、ろう付けなどにより固定接合され、平板１のもう一方は、その反対側より低い位置（鉛直下方）の第２の偏平チューブ１３に嵌め込まれて、やはり、ろう付けなどにより固定接合されている。
【００５４】
以上のように構成された熱交換器を蒸発器として用いた場合について説明する。背面側熱交換器Ａ１の第１の上側ヘッダー１１１の鉛直下方に、前面側熱交換器Ａ２の第２の上側ヘッダー１１２の樋２が配置されているので、背面側熱交換器Ａ１の第１の上側ヘッダー１１１の最下部から滴下する水滴Ｗは、前面側熱交換器Ａ２の第２の上側ヘッダー１１２の上面の樋２に着地し、樋２の中を長手方向に緩やかな下り勾配に沿って流れていくので、ケーシング内への水滴の滴下、すなわち水飛びは起きない。
【００５５】
また、前面側熱交換器Ａ２の第２の上側ヘッダー１１２の最下部から、第２の偏平チューブ１３２まで下り勾配に、平板１が設けられている。つまり、平板１の一方は、第２の上側ヘッダー１１２の最下部近傍に固定接合され、平板１のもう一方は、その反対側より
低い位置（鉛直下方）の第２の偏平チューブ１３２に固定接合されている。このため、第２の上側ヘッダー１１２の表面に結露する水滴は、第２の上側ヘッダー１１２の最下部まで流れ着いてから、平板１に誘導され、そのあと、平板１の表面を第２の偏平チューブ１３２まで円滑に流れていくことができる。これによって、結露水は第２の上側ヘッダー１１２から飛び出ることがない。
【００５６】
なお、前面側熱交換器Ａ２の第２の上側ヘッダー１１２は、断面が長方形のものの上面に樋２が設けられているが、第２の上側ヘッダー１１２の断面形状は、円形や楕円形などであっても、樋２さえ備えていれば、本実施の形態の場合と同様の効果を有する。
【００５７】
また、本実施の形態において、ケーシング内に２つの熱交換器が配置されている場合について説明したが、３つ以上の熱交換器が配置されている場合でも、それぞれの熱交換器の上側ヘッダーが略鉛直方向に並ぶように配置し、最下部に配置された熱交換器の上側ヘッダーの上面に樋を設け、その上側ヘッダーの最下部から、その熱交換器の偏平チューブまで、排水機構としての平板を固定接合することにより、上記同様の効果を有することができる。
【００５８】
以上、説明したように、ルームエアコン用室内機のケーシング内の空気流通路に、鉛直方向に対して傾斜して配置され、冷媒の流通路となる複数本の偏平チューブが並列状に配置されるとともに、隣接する偏平チューブの間に、空気との間で吸放熱するコルゲートフィンが配置され、かつ各偏平チューブの両端に、略水平方向の中空の上側ヘッダーと下側ヘッダーが連通接続された、いわゆるパラレルフロータイプの熱交換器において、上側ヘッダーの最下部を含む位置から下方に、偏平チューブまで、排水機構を設けたことにより、いわゆる水飛び現象を防止できる。
【００５９】
あるいは、ルームエアコン用室内機のケーシング内の空気流通路に、上下にヘッダーを有するパラレルフロータイプの熱交換器を複数、鉛直方向に対して傾斜して、複数の熱交換器のそれぞれの上側ヘッダーが略鉛直方向に重なる位置に配置し、上側ヘッダーが最下部に配置された熱交換器の上側ヘッダーの上面に樋を設けたことにより、いわゆる水飛び現象を防止できる。
【００６０】
あるいは、前記熱交換器の、上側ヘッダーが最下部に配置された熱交換器の上側ヘッダーの最下部を含む位置から下方に、上側ヘッダーが最下部に配置された熱交換器の偏平チューブまで、さらに、排水機構を設けたことにより、いわゆる水飛び現象を防止できる。
【産業上の利用可能性】
【００６１】
本発明によれば、コルゲートフィンを有するパラレルフロー熱交換器において、上側ヘッダーから水飛びを防止できる。このため、本発明の熱交換器は、家庭用の空気調和機のみならず、業務用の空気調和機等に適用できる。
【符号の説明】
【００６２】
Ａ、Ａ’  熱交換器
Ａ１  背面側熱交換器
Ａ２  前面側熱交換器
Ｂ、Ｂ’  ケーシング
Ｃ、Ｃ’  貫流送風機の羽根車
１  平板
１ａ  凹部
２  樋
１１  上側ヘッダー
１２  下側ヘッダー
１３、１３１、１３２  偏平チューブ
１４  コルゲートフィン
１５  上側接続管
１６  下側接続管
３０  室内機
３１  圧縮機
３２  四方弁
３３  室外熱交換器
３４  絞り装置
３６  アキュムレータ
３８  室外ファン
４２  室外機
４３  液側接続管
４４  ガス側接続管
１１１  第１の上側ヘッダー
１１２  第２の上側ヘッダー
１２１  第１の下側ヘッダー
１２２  第２の下側ヘッダー
【図１】
2015227754.tif 000003
【図２】
2015227754.tif 000004
【図３】
2015227754.tif 000005
【図４】
2015227754.tif 000006
【図５】
2015227754.tif 000007
【図６】
2015227754.tif 000008
【図７】
2015227754.tif 000009